(57)【要約】【課題】段ボール箱体内で、配管材の巻回された巻回部を安定して回動させることができ、配管作業の効率を向上させることができる、配管材の梱包装置を提供する。【解決手段】梱包装置２は、周回状に巻回された通水管１を収容する段ボール箱体３と、ターンテーブル４と、案内手段５とを備える。ここで、ターンテーブル４は、段ボール箱体３内に載置され、また、このターンテーブル４には、通水管１の巻回された巻回部１ａがその一方の側面１ｂを下にして載せられる。案内手段５は、軸体Ｇからなり、ターンテーブル４を、段ボール箱体３に対して巻回部１ａの周回方向に回動可能となるよう案内する。そして、段ボール箱体３は、通水管１をその端部から順に外に引き出すための引出部３ａを有し、その引出部３ａからの通水管１の引き出しに伴って、ターンテーブル４が回動する。【選択図】　図１
2004035006.tif 000002
【特許請求の範囲】
【請求項１】
合成樹脂製の可撓性を備えた配管材を梱包する梱包装置であって、
周回状に巻回された前記配管材を収容する段ボール箱体と、
前記段ボール箱体内に設けられて、前記配管材の巻回された巻回部がその一方の側面を下にして載せられる、ターンテーブルと、
前記ターンテーブルを、前記段ボール箱体に対して前記巻回部の周回方向に回動可能となるよう案内する案内手段と、を備え、
前記段ボール箱体は、前記配管材を、その端部から順に外に引き出すための引出部を有し、前記引出部からの前記配管材の引き出しに伴って、前記ターンテーブルが、前記巻回部が解かれるよう回動することを特徴とする、配管材の梱包装置。
【請求項２】
前記案内手段は、前記段ボール箱体内で位置決めされて、前記ターンテーブルに形成された嵌合部に嵌まる軸体からなることを特徴とする、請求項１に記載の、配管材の梱包装置。
【請求項３】
前記軸体は、前記段ボール箱体の内面に固着されていることを特徴とする、請求項２に記載の、配管材の梱包装置。
【請求項４】
前記案内手段は、前記段ボール箱体内で前記ターンテーブルの外周面と接触し得るローラからなることを特徴とする、請求項１に記載の、配管材の梱包装置。
【請求項５】
前記ターンテーブルには、前記引出部から前記配管材を引き出す際に、前記巻回部が内側に入り込むのを防止すべく、前記巻回部の内側に立設されて前記ターンテーブルとともに回動するガイド部が設けられていることを特徴とする、請求項１ないし４のいずれか１項に記載の、配管材の梱包装置。
【請求項６】
前記ターンテーブルには、前記引出部から前記配管材を引き出す際に、前記巻回部が前記ガイド部の上端から離脱して内側に入り込むのを防止する離脱防止部が、前記巻回部が載せられる載置面に対向して設けられていることを特徴とする、請求項５に記載の、配管材の梱包装置。
【請求項７】
前記引出部は、前記配管材を前記巻回部の外周側から引き出し可能とすべく、前記巻回部の外周側を覆う、前記段ボール箱体の側壁に形成されることを特徴とする、請求項１ないし６のいずれか１項に記載の、配管材の梱包装置。
【請求項８】
前記引出部は、前記巻回部の厚み方向に沿って延びるよう形成されることを特徴とする、請求項７に記載の、配管材の梱包装置。
【請求項９】
前記引出部は、前記配管材を前記巻回部の内周側から引き出し可能とすべく、前記巻回部の他方の側面側を覆う、前記段ボール箱体の上壁に形成されることを特徴とする、請求項１ないし６のいずれか１項に記載の、配管材の梱包装置。
【請求項１０】
前記引出部は、前記段ボール箱体の壁部の一部を除去することにより形成されることを特徴とする、請求項１ないし９のいずれか１項に記載の、配管材の梱包装置。
【請求項１１】
前記引出部は、前記段ボール箱体の壁部の一部を、除去することなく折り曲げることにより形成されることを特徴とする、請求項１ないし９のいずれか１項に記載の、配管材の梱包装置。
【請求項１２】
前記段ボール箱体には、折り曲げられた、前記壁部の一部が、前記引出部の開口状態の妨げとならないように、折り曲げ状態を維持する維持手段が設けられていることを特徴とする、請求項１１に記載の、配管材の梱包装置。
【請求項１３】
前記配管材は、架橋ポリエチレン製あるいはポリブデン製の通水管であることを特徴とする、請求項１ないし１２のいずれか１項に記載の、配管材の梱包装置。
【請求項１４】
前記ターンテーブルと前記段ボール箱体の内面との間には、介在体が配設されて、
前記介在体は、前記ターンテーブルの回動を円滑にすべく、前記介在体と前記ターンテーブルとが擦る面積、または前記介在体と前記段ボール箱体とが擦る面積が、前記ターンテーブルの下面の面積に比して、小となるように形成されていることを特徴とする、請求項１ないし１３のいずれか１項に記載の、配管材の梱包装置。
【請求項１５】
前記ターンテーブルと前記段ボール箱体の内面との間には、複数の介在体が積層されるようにして配設されて、
前記介在体の、いずれか二つの互いに重なる介在体は、前記ターンテーブルの回動を円滑にすべく、それら介在体の互いに擦る面積が、前記ターンテーブルの下面の面積に比して、小となるように形成されていることを特徴とする、請求項１ないし１３のいずれか１項に記載の、配管材の梱包装置。
【請求項１６】
前記介在体は、前記巻回部が載せられた前記ターンテーブルの、前記段ボール箱体と接触するまでの変形を防止可能な大きさとなっていることを特徴とする、請求項１４または１５に記載の、配管材の梱包装置。
【請求項１７】
前記ターンテーブルと前記段ボール箱体とが擦る部分には、前記ターンテーブルの回動を円滑にするための、滑材のコーティング層が設けられていることを特徴とする、請求項１ないし１３のいずれか１項に記載の、配管材の梱包装置。
【請求項１８】
前記介在体と、前記ターンテーブルまたは前記段ボール箱体とが擦る部分には、前記ターンテーブルの回動を円滑にするための、滑材のコーティング層が設けられていることを特徴とする、請求項１４に記載の、配管材の梱包装置。
【請求項１９】
前記二つの互いに重なる介在体が互いに擦る部分には、前記ターンテーブルの回動を円滑にするための、滑材のコーティング層が設けられていることを特徴とする、請求項１５に記載の、配管材の梱包装置。
【発明の詳細な説明】
【０００１】
【発明の属する技術分野】
この発明は、合成樹脂製の可撓性を備えた通水管等の配管材を梱包する、配管材の梱包装置に関するものである。
【０００２】
【従来の技術および発明が解決しようとする課題】
従来、例えば、配管材としての、架橋ポリエチレン製等の合成樹脂製の可撓性を備えた通水管は、数十ｍ単位の長尺体が巻回された状態で、樹脂バンドにより固定され、段ボール箱内に収容されていた。このように段ボール箱内に収容された通水管は、施工現場等において、巻回状態のまま段ボール箱内から取り出された。そして、この通水管は、例えば、ヘッダー等の湯水供給体と、水栓が接続される継手等の湯水消費体との間に所定の配管経路をもって配管された鞘管内に、先端側から順次送り込まれるようにして挿通された。
【０００３】
ところで、前記従来の巻回状態の通水管にあっては、巻き癖が強く、巻回状態の通水管を、回転させずにそのまま引き出すと、前記巻き癖と引き出された通水管の捩れにより、この通水管を鞘管内に挿通することが極めて困難であった。
【０００４】
そこで、例えば、複数人の作業者により、一人が巻回状態の通水管を回動可能に保持し、もう一人が通水管を先端側から順次引き出して鞘管内に挿通することで、その通水管を配管するようにしていた。また、別途、回転ドラムを用意し、段ボール箱内から取り出した巻回状態の通水管を、回転ドラムに装着し、その回転ドラムにより、巻回状態の通水管を回転させるようにして、通水管を先端側から引き出すこともあった。
【０００５】
しかし、上記のいずれの引き出し方法も、複数人の作業者を必要としたり、回転ドラムを用意する必要があったりして、面倒で作業性が悪かった。
【０００６】
そこで、出願人は、先の出願により、段ボール箱体内に通水管を回動可能に収容する梱包装置を提案しているが、かかる通水管は、相当の剛性を有するため、直径約１ｍ程度、厚さ３０ｃｍ程度で巻回された。そして、段ボール箱体内の巻回された通水管を縦型（巻回軸を水平）にして設置すると、すなわち梱包装置をいわゆる縦置型とすると、通水管を引き出す際に、その引張力により段ボール箱体が倒れ易く、配管作業が円滑に行なえないという問題があった。
【０００７】
また、前記通水管は、通常、運搬を容易にするため、その剛性に抗して、小さく巻回した状態でバンド等で固定された。そして、段ボール箱体内でバンドを除去すると、巻回された通水管は、段ボール箱体内で内径が大きくなるように広がった。ここで、前述の縦型設置の場合、軸体によって通水管の管束を支えているが、管束が自重によって変形して垂れ下がり、管束全体の回動が円滑になされない虞があった。さらに、前記垂れ下がった管束が、段ボール箱体の底面と擦れ、大きな抵抗となるという問題もあった。これを防止するために、段ボール箱体自身を必要以上に大きくすれば、運搬、保管等に大きな障害となる虞があった。
【０００８】
この発明は、上記した従来の欠点を解決するためになされたものであり、その目的とするところは、段ボール箱体内で、配管材の巻回された巻回部を安定して回動させることができ、配管作業の効率を向上させることができる、配管材の梱包装置を提供することにある。
【０００９】
【課題を解決するための手段】
この発明に係る配管材の梱包装置は、前記目的を達成するために、次の構成からなる。すなわち、
請求項１に記載の発明に係る配管材の梱包装置は、合成樹脂製の可撓性を備えた配管材を梱包する梱包装置である。この梱包装置は、周回状に巻回された前記配管材を収容する段ボール箱体と、前記段ボール箱体内に設けられて、前記配管材の巻回された巻回部がその一方の側面を下にして載せられる、ターンテーブルと、前記ターンテーブルを、前記段ボール箱体に対して前記巻回部の周回方向に回動可能となるよう案内する案内手段と、を備える。そして、前記段ボール箱体は、前記配管材を、その端部から順に外に引き出すための引出部を有し、前記引出部からの前記配管材の引き出しに伴って、前記ターンテーブルが、前記巻回部が解かれるよう回動する。
【００１０】
これにより、梱包装置は、段ボール箱体を備え、この段ボール箱体に、周回状に巻回された合成樹脂製の可撓性を備えた配管材が収容される。このように、巻回された配管材は、段ボール箱体に収容されて、保管されたり運搬されたりする。そして、段ボール箱体内においては、ターンテーブルに、配管材の巻回された巻回部が、その巻回部の一方の側面を下にして載せられる。ここで、この梱包装置は、ターンテーブルを、段ボール箱体に対して巻回部の周回方向に回動可能となるよう案内する案内手段を備えている。したがって、引出部から配管材を引き出すと、前記案内手段によって、ターンテーブルは、前記巻回部が解かれるよう回動する。こうして、巻回部がターンテーブルとともに回動して、その巻回部が解かれることから、配管材が捩れることがなく、配管材の巻き癖を取りながら引き出すことができる。また、このとき、巻回部は、その一方の側面を下にしてターンテーブルに載せられており、その巻回部の巻回状態がそれほど崩れることはない。このように、ターンテーブルは、案内手段に案内されて回動し、しかも、巻回部が、その一方の側面を下にしてターンテーブルに載せられて、その巻回部の巻回状態がそれほど崩れることなく回動するので、その巻回部は安定して回動する。
【００１１】
また、請求項２に記載の発明に係る配管材の梱包装置のように、請求項１に記載の梱包装置において、前記案内手段は、前記段ボール箱体内で位置決めされて、前記ターンテーブルに形成された嵌合部に嵌まる軸体からなっていてもよい。このように、ターンテーブルの嵌合部が、段ボール箱体内で位置決めされた軸体と嵌合することで、ターンテーブルは、この軸体を中心にして回動する。
【００１２】
また、請求項３に記載の発明に係る配管材の梱包装置のように、請求項２に記載の梱包装置において、前記軸体は、前記段ボール箱体の内面に固着されてもよい。
【００１３】
また、請求項４に記載の発明に係る配管材の梱包装置のように、請求項１に記載の梱包装置において、前記案内手段は、前記段ボール箱体内で前記ターンテーブルの外周面と接触し得るローラからなっていてもよい。このように、案内手段は、ターンテーブルの外周面と接触し得るローラからなっており、このローラに案内されて、ターンテーブルが回動することとなる。
【００１４】
また、請求項５に記載の発明に係る配管材の梱包装置のように、請求項１ないし４のいずれか１項に記載の梱包装置において、前記ターンテーブルには、前記引出部から前記配管材を引き出す際に、前記巻回部が内側に入り込むのを防止すべく、前記巻回部の内側に立設されて前記ターンテーブルとともに回動するガイド部が設けられてもよい。こうして、巻回部の内側に立設されたガイド部により、巻回部が内側に入り込むのを防止することができ、この巻回部は、一層安定して回動する。
【００１５】
また、請求項６に記載の発明に係る配管材の梱包装置のように、請求項５に記載の梱包装置において、前記ターンテーブルには、前記引出部から前記配管材を引き出す際に、前記巻回部が前記ガイド部の上端から離脱して内側に入り込むのを防止する離脱防止部が、前記巻回部が載せられる載置面に対向して設けられてもよい。こうして、巻回部が載せられる載置面に対向する離脱防止部により、巻回部が、ガイド部の上端から離脱して内側に入り込むのを防止することができ、この巻回部は、より一層安定して回動する。
【００１６】
また、請求項７に記載の発明に係る配管材の梱包装置のように、請求項１ないし６のいずれか１項に記載の梱包装置において、前記引出部は、前記配管材を前記巻回部の外周側から引き出し可能とすべく、前記巻回部の外周側を覆う、前記段ボール箱体の側壁に形成されてもよい。こうして、引出部は、巻回部の外周側を覆う、段ボール箱体の側壁に形成されており、この引出部を通して、配管材をその巻回部の外周側から引き出すことができる。
【００１７】
また、請求項８に記載の発明に係る配管材の梱包装置のように、請求項７に記載の梱包装置において、前記引出部は、前記巻回部の厚み方向に沿って延びるよう形成されてもよい。こうして、引出部が、巻回部の厚み方向に沿って延びることから、この引出部を通して、巻回部の厚み方向のどの位置からでも、配管材を容易に引き出すことができる。
【００１８】
また、請求項９に記載の発明に係る配管材の梱包装置のように、請求項１ないし６のいずれか１項に記載の梱包装置において、前記引出部は、前記配管材を前記巻回部の内周側から引き出し可能とすべく、前記巻回部の他方の側面側を覆う、前記段ボール箱体の上壁に形成されてもよい。こうして、引出部は、巻回部の他方の側面側、すなわち上面側を覆う、段ボール箱体の上壁に形成されており、この引出部を通して、配管材をその巻回部の内周側から引き出すことができる。
【００１９】
また、請求項１０に記載の発明に係る配管材の梱包装置のように、請求項１ないし９のいずれか１項に記載の梱包装置において、前記引出部は、前記段ボール箱体の壁部の一部を除去することにより形成されてもよい。こうして、段ボール箱体の壁部の一部を除去することにより形成された引出部から、配管材が引き出される。
【００２０】
また、請求項１１に記載の発明に係る配管材の梱包装置のように、請求項１ないし９のいずれか１項に記載の梱包装置において、前記引出部は、前記段ボール箱体の壁部の一部を、除去することなく折り曲げることにより形成されてもよい。こうして、段ボール箱体の壁部の一部を折り曲げることにより形成された引出部から、配管材が引き出される。
【００２１】
また、請求項１２に記載の発明に係る配管材の梱包装置のように、請求項１１に記載の梱包装置において、前記段ボール箱体には、折り曲げられた、前記壁部の一部が、前記引出部の開口状態の妨げとならないように、折り曲げ状態を維持する維持手段が設けられてもよい。こうして、維持手段によって、折り曲げられた、壁部の一部の、その折り曲げ状態が維持されるので、その折り曲げられた、壁部の一部に、邪魔されることなく、配管材が引き出される。
【００２２】
また、請求項１３に記載の発明に係る配管材の梱包装置のように、請求項１ないし１２のいずれか１項に記載の梱包装置において、前記配管材は、架橋ポリエチレン製あるいはポリブデン製の通水管であってもよい。これにより、一般に巻き癖が強いと言われる、架橋ポリエチレン製あるいはポリブデン製の通水管であっても、巻回部が解かれるように回動することから、通水管が捩れることなく、その通水管の巻き癖を取りながら引き出すことができる。
【００２３】
また、請求項１４に記載の発明に係る配管材の梱包装置のように、請求項１ないし１３のいずれか１項に記載の梱包装置において、前記ターンテーブルと前記段ボール箱体の内面との間には、介在体が配設されて、前記介在体は、前記ターンテーブルの回動を円滑にすべく、前記介在体と前記ターンテーブルとが擦る面積、または前記介在体と前記段ボール箱体とが擦る面積が、前記ターンテーブルの下面の面積に比して、小となるように形成されてもよい。こうして、この介在体によって、ターンテーブル側と段ボール箱体側との擦る面積が小さくなり、ターンテーブル、つまりは巻回部は、円滑に回動する。
【００２４】
また、請求項１５に記載の発明に係る配管材の梱包装置のように、請求項１ないし１３のいずれか１項に記載の梱包装置において、前記ターンテーブルと前記段ボール箱体の内面との間には、複数の介在体が積層されるようにして配設されて、前記介在体の、いずれか二つの互いに重なる介在体は、前記ターンテーブルの回動を円滑にすべく、それら介在体の互いに擦る面積が、前記ターンテーブルの下面の面積に比して、小となるように形成されてもよい。こうして、この介在体によって、ターンテーブル側と段ボール箱体側との擦る面積が小さくなり、ターンテーブル、つまりは巻回部は、円滑に回動する。
【００２５】
また、請求項１６に記載の発明に係る配管材の梱包装置のように、請求項１４または１５に記載の梱包装置において、前記介在体は、前記巻回部が載せられた前記ターンテーブルの、前記段ボール箱体と接触するまでの変形を防止可能な大きさとなっているのが望ましい。
【００２６】
また、請求項１７に記載の発明に係る配管材の梱包装置のように、請求項１ないし１３のいずれか１項に記載の梱包装置において、前記ターンテーブルと前記段ボール箱体とが擦る部分には、前記ターンテーブルの回動を円滑にするための、滑材のコーティング層が設けられてもよい。こうして、ターンテーブルと段ボール箱体との擦る部分に設けられた、滑材のコーティング層によって、ターンテーブル、つまりは巻回部は、円滑に回動する。
【００２７】
また、請求項１８に記載の発明に係る配管材の梱包装置のように、請求項１４に記載の梱包装置において、前記介在体と、前記ターンテーブルまたは前記段ボール箱体とが擦る部分には、前記ターンテーブルの回動を円滑にするための、滑材のコーティング層が設けられてもよい。こうして、介在体と、ターンテーブルまたは段ボール箱体との擦る部分に設けられた、滑材のコーティング層によって、ターンテーブル、つまりは巻回部は、円滑に回動する。
【００２８】
また、請求項１９に記載の発明に係る配管材の梱包装置のように、請求項１５に記載の梱包装置において、前記二つの互いに重なる介在体が互いに擦る部分には、前記ターンテーブルの回動を円滑にするための、滑材のコーティング層が設けられてもよい。こうして、二つの互いに重なる介在体の互いに擦る部分に設けられた、滑材のコーティング層によって、ターンテーブル、つまりは巻回部は、円滑に回動する。
【００２９】
【発明の実施の形態】
以下、この発明に係る配管材の梱包装置の実施の形態を図面に基づいて説明する。
【００３０】
図１ないし図３は、本発明に係る配管材の梱包装置の第一の実施の形態を示す。図中符号１は、合成樹脂製の可撓性を備えた配管材、例えば、架橋ポリエチレン製あるいはポリブデン製の通水管である。２は、前記配管材としての通水管１を梱包する梱包装置である。
【００３１】
この梱包装置２は、段ボール箱体３と、ターンテーブル４と、案内手段５とを備えている。段ボール箱体３は、周回状に巻回された前記通水管１を収容する、例えば紙製の箱体である。ターンテーブル４は、段ボール箱体３内に載置され、そして、このターンテーブル４には、通水管１の巻回された巻回部１ａがその一方の側面１ｂを下にして載せられる。そして、案内手段５は、ターンテーブル４を、段ボール箱体３に対して前記巻回部１ａの周回方向に回動可能となるよう案内するものである。ここで、段ボール箱体３は、通水管１を、その端部から順に外に引き出すための引出部３ａを有し、その引出部３ａからの通水管１の引き出しに伴って、ターンテーブル４が、前記巻回部１ａが解かれるように回動する。
【００３２】
具体的には、段ボール箱体３は、紙製の段ボール、例えは両面段ボールからなり、直方体形状、特に扁平な正四角柱形状に形成されている。そして、前記引出部３ａは、段ボール箱体３に収容された通水管１をその巻回部１ａの外周１ｃ側から引き出し可能とすべく、巻回部１ａの外周１ｃ側を覆う、段ボール箱体３の側壁３ｂに形成されている。詳細には、引出部３ａは、段ボール箱体３の壁部３ｃの一部を、除去することなく折り曲げることにより形成されている。すなわち、引出部３ａは、段ボール箱体３の壁部３ｃの一部となる、側壁３ｂの一の面を形成する蓋部３ｄを折り曲げて開くことによって開口する開口部からなる。そして、段ボール箱体３には、折り曲げられた、前記壁部３ｃの一部、すなわち蓋部３ｄが、引出部３ａ（開口部）の開口状態の妨げとならないように、折り曲げ状態を維持する維持手段６が設けられている。この維持手段６は、例えば、段ボール箱体３の、蓋部３ｄおよび上壁３ｅに設けられた、止め部６ａ、６ａと、それら止め部６ａ、６ａ間に掛け渡される紐等の掛渡し材６ｂとからなる。
【００３３】
ターンテーブル４は、例えば紙製の段ボール（図示実施の形態においては、複両面段ボール）からなる。そして、このターンテーブル４には、例えばその中央に、嵌合部としての嵌合孔４ａ（詳細には円形の孔）が形成されている。また、このターンテーブル４には、引出部３ａから通水管１を引き出す際に、通水管１の巻回部１ａが内側に入り込むのを防止すべく、巻回部１ａの内側に立設されてターンテーブル４とともに回動するガイド部４ｂが設けられている。さらに、ターンテーブル４には、引出部３ａから通水管１を引き出す際に、巻回部１ａがガイド部４ｂの上端から離脱して内側に入り込むのを防止する離脱防止部４ｃが、巻回部１ａが載せられる載置面４ｄに対向して設けられている。この実施の形態においては、ガイド部４ｂは、例えば正四角形状の枠体Ｅからなり、離脱防止部４ｃは、枠体Ｅの上端から外側に向かって延びるように折り曲げ形成された、複数（図示実施の形態においては二つ）の鍔部Ｆ、Ｆからなる。
【００３４】
案内手段５は、段ボール箱体３内で位置決めされて、ターンテーブル４に明けられた嵌合孔４ａに嵌まる軸体Ｇからなっている。すなわち、ターンテーブル４の嵌合孔４ａが、段ボール箱体３側の軸体Ｇと嵌合することで、ターンテーブル４は、この軸体Ｇを中心にして回動することとなる。詳細には、この軸体Ｇは、例えば、紙製の段ボールからなり、円筒形状をしている。そして、この軸体Ｇは、段ボール箱体３の内面（詳細には、底壁３ｆの内面）に、接着等により固着されている。
【００３５】
また、ターンテーブル４と段ボール箱体３の内面との間には、介在体７が配設されている。この、介在体７は、ターンテーブル４の回動を円滑にすべく、介在体７とターンテーブル４とが擦る面積、または介在体７と段ボール箱体３とが擦る面積が、ターンテーブル４の下面の面積に比して、小となるように形成されている。そして、介在体７は、巻回部１ａが載せられたターンテーブル４の、段ボール箱体３と接触するまでの変形を防止可能な大きさとなっている。具体的には、介在体７は、一枚であって、例えば紙製の段ボールからなり、ターンテーブル４よりも小さな円盤状に形成されている。そして、介在体７の中央には、軸体Ｇが通る孔７ａが明けられている。また、図示実施の形態においては、介在体７は、段ボール箱体３の内面（詳細には、底壁３ｆの内面）に、接着等により固定されており、ターンテーブル４が回動すると、介在体７とターンテーブル４との間で擦ることとなる。もっとも、介在体７を、ターンテーブル４に接着等により固定することで、介在体７と段ボール箱体３との間で擦るようにしてもよい。さらには、介在体７を、ターンテーブル４と段ボール箱体３とのいずれにも固定することなく、介在体７とターンテーブル４との間、そして、介在体７と段ボール箱体３との間の、両方で擦るようにしてもよい。
【００３６】
そして、介在体７と、ターンテーブル４または段ボール箱体３とが擦る部分（図示実施の形態においては、介在体７とターンテーブル４とが擦る部分）には、ターンテーブル４の回動を円滑にするための、蝋とかシリコン等の滑材のコーティング層（図示せず）が設けられている。なお、段ボール箱体３の底壁３ｆは、この段ボール箱体３、つまりは梱包装置２が配置される配置面の凹凸により、容易に変形することがないように形成されるのが望ましい。つまり、配置面の凹凸により、底壁３ｆが変形すると、ターンテーブル４との間に摩擦を生じてターンテーブル４の回動が円滑に行なわれなくなる虞があるからである。
【００３７】
次に、第一の実施の形態に示す梱包装置２の作用効果について説明する。この梱包装置２によると、段ボール箱体３に、周回状に巻回された合成樹脂製の可撓性を備えた通水管１が収容される。このように、巻回された通水管１は、段ボール箱体３に収容されて、保管されたり運搬されたりする。そして、段ボール箱体３内においては、ターンテーブル４に、通水管１の巻回された巻回部１ａが、その巻回部１ａの一方の側面１ｂを下にして載せられる。ここで、この梱包装置２は、ターンテーブル４を、段ボール箱体３に対して巻回部１ａの周回方向に回動可能となるよう案内する案内手段５としての軸体Ｇを備えている。したがって、引出部３ａから通水管１を引き出すと、前記軸体Ｇによって、ターンテーブル４は、巻回部１ａが解かれるよう回動する。こうして、巻回部１ａがターンテーブル４とともに回動して、その巻回部１ａが解かれることから、通水管１が捩れることがない。したがって、通水管１の巻き癖を取りながら引き出すことができ、架橋ポリエチレン製あるいはポリブデン製の通水管１であっても、簡単かつ容易に引き出して配管する（例えば、予め所定の配管経路に沿って配備された鞘管内に挿通する）ことができる。
【００３８】
また、このとき、巻回部１ａは、その一方の側面１ｂを下にしてターンテーブル４に載せられており、その巻回部１ａの巻回状態がそれほど崩れることはない。このように、ターンテーブル４は、軸体Ｇに案内されて回動し、しかも、巻回部１ａが、その一方の側面１ｂを下にしてターンテーブル４に載せられて、その巻回部１ａの巻回状態がそれほど崩れることなく回動するので、その巻回部１ａは安定して回動する。したがって、通水管１の配管作業の効率を向上させることができる。
【００３９】
しかも、巻回部１ａの内側に立設されたガイド部４ｂ（詳細には、枠体Ｅ）により、巻回部１ａが内側に入り込むのを防止することができ、この巻回部１ａは、一層安定して回動する。さらに、巻回部１ａが載せられる載置面４ｄに対向する離脱防止部４ｃ（詳細には、鍔部Ｆ）により、巻回部１ａが、ガイド部４ｂ（詳細には、枠体Ｅ）の上端から離脱して内側に入り込むのを防止することができ、この巻回部１ａは、より一層安定して回動する。
【００４０】
そして、この梱包装置２は、ターンテーブル４に、通水管１の巻回部１ａがその一方の側面１ｂを下して載せられることから、いわゆる横置型（巻回軸が鉛直）となっている。そして、この横置型に加えて、巻回部１ａは径の寸法に比して幅の寸法が小となって、扁平状に巻回されていることから、その巻回部１ａは、段ボール箱体３内で安定し、配管作業中に、段ボール箱体３、つまりは梱包装置２が倒れるのを防止することができる。すなわち、この梱包装置２は、巻回部１ａの径の寸法に比して幅の寸法が小となる通水管に好適に用いられる。また、従来のいわゆる縦置型に比して、巻回部１ａの自重による変形をなくすことができ、また、かかる自重によって巻回部１ａが垂れ下がって段ボール箱体３の内面と擦れるということもない。
【００４１】
また、引出部３ａは、巻回部１ａの外周１ｃ側を覆う、段ボール箱体３の側壁３ｂに形成されており、この引出部３ａを通して、通水管１をその巻回部１ａの外周１ｃ側から引き出すことができる。そして、この引出部３ａは、蓋部３ｄを折り曲げて開くことによって開口する開口部からなり、この引出部３ａを簡単に形成することができる。しかも、維持手段６によって、蓋部３ｄの折り曲げ状態が維持されるので、その蓋部３ｄに邪魔されることなく、通水管１を引き出すことができる。
【００４２】
また、ターンテーブル４と段ボール箱体３の内面との間の介在体７によって、ターンテーブル４側と段ボール箱体３側との擦る面積が小さくなり、ターンテーブル４、つまりは巻回部１ａは、円滑に回動する。しかも、介在体７と、ターンテーブル４または段ボール箱体３との擦る部分（図示実施の形態においては、介在体７とターンテーブル４との擦る部分）には、滑材のコーティング層が設けられており、このコーティング層によって、ターンテーブル４、つまりは巻回部１ａは、一層円滑に回動する。なお、滑材のコーティング層は、図示実施の形態においては、介在体７に設けられてもよく、また、ターンテーブル４に設けられてもよく、さらには、それら介在体７とターンテーブル４との両者に設けられてもよい。すなわち、滑材のコーティング層は、ターンテーブル４側と段ボール箱体３側との擦る部分の、いずれの側に設けられてもよい。
【００４３】
図４ないし図７は、本発明に係る配管材の梱包装置の第二の実施の形態を示す。この第二の実施の形態は、第一の実施の形態とは、ターンテーブル４の形状、介在体７の枚数、引出部３ａの形状が異なるが、他はほぼ同様であり、以下に、異なる部分を主に説明する。
【００４４】
この実施の形態においては、ターンテーブル４に設けられたガイド部４ｂは、複数、例えは二つの枠体Ｅ、Ｅからなる。そして、一方の枠体Ｅとターンテーブル４とが接着等により接合され、そして、他方の枠体Ｅと、例えば円形の離脱防止部４ｃとが接着等により接合される。ここで、枠体Ｅは、多角形状、例えば正四角形状の枠からなる。そして、それぞれの枠体Ｅ、Ｅには、例えば先端から中間部分まで、切込みＥ１、Ｅ１が形成されており、それら切込みＥ１、Ｅ１が合わさるようにして、両枠体Ｅ、Ｅは、このターンテーブル４の回動方向に相対的にずれた位置、例えは４５度ずれた位置で組み付けられる。このように、複数の枠体Ｅ、Ｅが、ターンテーブル４の回動方向に相対的にずれた位置で組み付けられることから、複数の枠体Ｅ、Ｅの多数の頂辺が、巻回部１ａの内周１ｄと接触可能となり、それら頂辺によって効果的に巻回部１ａを支持することができる。また、複数の枠体Ｅ、Ｅの組み付けにあたって、それら枠体Ｅ、Ｅに形成された切込みＥ１、Ｅ１が合わさるようにして組み付けられることから、その組み付けが容易となる。
【００４５】
介在体７は、複数設けられており、これら介在体７、７は、ターンテーブル４と段ボール箱体３の内面（詳細には、底壁３ｆの内面）との間に、積層されるようにして配設されている。そして、介在体７、７の、いずれか二つの互いに重なる介在体７、７は、ターンテーブル４の回動を円滑にすべく、それら介在体７、７の互いに擦る面積が、ターンテーブル４の下面の面積に比して、小となるように形成されている。すなわち、これら介在体７、７によって、ターンテーブル４側と段ボール箱体３側との擦る面積が小さくなり、ターンテーブル４、つまりは巻回部１ａは、円滑に回動する。図示実施の形態においては、介在体７は、３枚設けられており、中央には、軸体Ｇが通る孔７ａが明けられている。そして、３枚の介在体７、７は、上側と下側の介在体が同一形状であり、中間の介在体７が、上下の介在体７、７よりも小さくなっている。また、下側の介在体７は、段ボール箱体３の内面（詳細には、底壁３ｆの内面）に、接着等により固定されている。そして、ターンテーブル４が回動すると、そのターンテーブル４と上側の介在体７、上側の介在体７と中間の介在体７、さらに、中間の介在体７と下側の介在体７との間で、擦ることとなる。そして、これら、ターンテーブル４と介在体７とが擦る部分、および、二つの互いに重なる介在体７、７が互いに擦る部分（詳細には、上側の介在体７と中間の介在体７とが擦る部分、そして、中間の介在体７と下側の介在体７とが擦る部分）には、ターンテーブル４の回動を円滑にするための、滑材のコーティング層が設けられている。すなわち、この滑材のコーティング層によって、ターンテーブル４、つまりは巻回部１ａは、円滑に回動する。
【００４６】
引出部３ａは、段ボール箱体３の側壁３ｂに、巻回部１ａの厚み方向に沿って延びるよう形成されている。図示実施の形態においては、引出部３ａは、上下に長手となる長方形形状の開口部となっている。そして、このように、引出部３ａが、巻回部１ａの厚み方向に沿って延びることから、この引出部３ａを通して、巻回部１ａの厚み方向のどの位置からでも、通水管１を容易に引き出すことができる。また、引出部３ａは、段ボール箱体３の壁部３ｃ（詳細には側壁３ｂ）の一部を除去することにより形成され、この除去によって形成された引出部３ａから、配管材としての通水管１が引き出される。もっとも、この壁部３ｃの一部は、予め除去されていてもよく、また、配管作業の際に、除去されてもよい。
【００４７】
図８および図９は、本発明に係る配管材の梱包装置の第三の実施の形態を示す。この第三の実施の形態は、第一の実施の形態とは、案内手段５が異なるが、他はほぼ同様であり、以下に、異なる部分を主に説明する。
【００４８】
この実施の形態においては、案内手段５は、段ボール箱体３内で、ターンテーブル４の外周面４ｅと接触し得るローラＨからなる。すなわち、このローラＨに案内されて、ターンテーブル４が回動することとなる。ここで、ターンテーブル４は、紙製の段ボールが三枚積層され、かつ、それら三層が接着等により接合されている。そして、ターンテーブル４は、中間の層が、上下の層よりも小さくなることで、このターンテーブル４の外周面４ｅに溝４ｆが形成されている。一方、ローラＨは、段ボール箱体３（詳細には、段ボール箱体３の底壁３ｆ）に取り付けられたローラ軸Ｈ１に回動可能に組み付けられている。そして、ローラＨは、ローラ本体Ｈ２と、上部に形成された第１鍔部Ｈ３と、下部に形成された第２鍔部Ｈ４とからなっている。ここで、ローラ本体Ｈ２が、ターンテーブル４における下側の層の外周面４ｅと接触し、第１鍔部Ｈ３と第２鍔部Ｈ４とが、ターンテーブル４における下側の層を挟むように位置している。なお、図示実施の形態においては、ローラＨは、四つ設けられているが、三つでもよく、また、五つ以上であってもよい。
【００４９】
図１０は、本発明に係る配管材の梱包装置の第四の実施の形態を示す。この第四の実施の形態は、第一の実施の形態とは、通水管１を引き出す位置が異なるが、他はほぼ同様であり、以下に、異なる部分を主に説明する。
【００５０】
この実施の形態においては、引出部３ａは、通水管１を巻回部１ａの内周１ｄ側から引き出し可能とすべく、巻回部１ａの他方の側面１ｅ側（すなわち、上面側）を覆う、段ボール箱体３の上壁３ｅに形成されている。詳細には、引出部３ａは、上壁３ｅの中央部分に、例えば円形形状に明けられた開口部からなる。もっとも、引出部３ａは、上壁３ｅの中央部分に明けられなくとも、例えば、上壁３ｅに、巻回部１ａを横切るようにして明けられてもよい。そして、引出部３ａから通水管１を引き出す際に、巻回部１ａが内側に入り込むのを防止するために、巻回部１ａの内側に立設されてターンテーブル４とともに回動するガイド部４ｂは、円錐台とか角錐台等のように、上方ほど径小となるように形成されている。こうして、巻回部１ａの内側に、通水管１を引き出すための空間が形成される。
【００５１】
なお、本発明は、上述した実施の形態に限定されるわけではなく、その他種々の変更が可能である。例えば、ターンテーブル４と、段ボール箱体３の内面との間には、介在体７が配設されているが、この介在体７は無くともよい。そして、この場合には、ターンテーブル４と段ボール箱体３とが擦る部分に、ターンテーブル４の回動を円滑にするための、滑材のコーティング層が設けられてもよい。
【００５２】
また、上記いずれの実施の形態においても、ターンテーブル４側と段ボール箱体３側とが擦る部分には、滑材のコーティング層が設けられているが、この滑材のコーティング層は無くともよい。
【００５３】
また、第一、第二および第四の実施の形態において、軸体Ｇは、段ボール箱体３の底壁３ｆ側に設けられているが、上壁３ｅ側に設けられてもよく、また、それら両者に設けられてもよい。同様にして、第三の実施の形態において、ローラＨは、段ボール箱体３の底壁３ｆ側に設けられているが、上壁３ｅ側に設けられてもよく、また、それら両者に設けられてもよい。
【００５４】
また、第二の実施の形態において、下側の介在体７は、中間の介在体７よりも小さく形成されてもよい。こうすることで、ターンテーブル４と介在体７とが擦る面積、そして、介在体７、７同士が擦る面積は、ターンテーブル４から段ボール箱体３の内面に向かうにしたがって、次第に小さくなる。
【００５５】
また、この梱包装置２（段ボール箱体３）は、ターンテーブル４が水平となるよう、横にして使用するものであるが、ターンテーブル４が水平方向に対して角度をもつように、斜めにして使用してもよい。そして、このように、梱包装置２（段ボール箱体３）を斜めにすることで、ターンテーブル４側から、段ボール箱体３の内面（詳細には、底壁３ｆの内面）側にかかる荷重が減少し、このターンテーブル４は、より円滑に回動する。その上、第一ないし第三の実施の形態においては、梱包装置２（段ボール箱体３）を斜めにし、さらに、通水管１を斜め上方に引き出すことで、通水管１が、この梱包装置２が置かれた地面等の配置面と接触して汚れることを防ぐことができる。また、この梱包装置２は、通常は、横にして、あるいは斜めにして使用するものであるが、場合によっては、縦にして使用してもよい。
【００５６】
また、配管材は、架橋ポリエチレン製あるいはポリブデン製の通水管１でなくとも、その他の合成樹脂からなる通水管であってもよく、また、通水管でなくとも、電線とか通水管等を収容する鞘管等であってもよい。
【００５７】
また、介在体７は、円盤状に形成されていなくとも、例えば、ドーナツ形状等、その他の形状であってもよい。
【００５８】
【発明の効果】
以上、詳述したところから明らかなように、この発明に係る配管材の梱包装置によれば、次の効果がある。
【００５９】
請求項１ないし４のいずれか１項に記載された配管材の梱包装置によれば、ターンテーブルは、案内手段に案内されて回動し、しかも、巻回部が、その一方の側面を下にしてターンテーブルに載せられて、その巻回部の巻回状態がそれほど崩れることなく回動するので、段ボール箱体内で、配管材の巻回された巻回部を安定して回動させることができ、配管作業の効率を向上させることができる。
【００６０】
また、請求項５に記載された配管材の梱包装置によれば、請求項１ないし４のいずれか１項の効果に加えて、巻回部の内側に立設されたガイド部により、巻回部が内側に入り込むのを防止することができ、この巻回部を、一層安定して回動させることができる。
【００６１】
また、請求項６に記載された配管材の梱包装置によれば、請求項５の効果に加えて、巻回部が載せられる載置面に対向する離脱防止部により、巻回部が、ガイド部の上端から離脱して内側に入り込むのを防止することができ、この巻回部を、より一層安定して回動させることができる。
【００６２】
また、請求項７に記載された配管材の梱包装置によれば、請求項１ないし６のいずれか１項の効果に加えて、段ボール箱体の側壁に形成された引出部を通して、配管材をその巻回部の外周側から引き出すことができる。
【００６３】
また、請求項８に記載された配管材の梱包装置によれば、請求項７の効果に加えて、巻回部の厚み方向に沿って延びる引出部を通して、巻回部の厚み方向のどの位置からでも、配管材を容易に引き出すことができる。
【００６４】
また、請求項９に記載された配管材の梱包装置によれば、請求項１ないし６のいずれか１項の効果に加えて、段ボール箱体の上壁に形成された引出部を通して、配管材をその巻回部の内周側から引き出すことができる。
【００６５】
また、請求項１０に記載された配管材の梱包装置によれば、請求項１ないし９のいずれか１項の効果に加えて、段ボール箱体の壁部の一部を除去することにより形成された引出部から、配管材を引き出すことができる。
【００６６】
また、請求項１１に記載された配管材の梱包装置によれば、請求項１ないし９のいずれか１項の効果に加えて、段ボール箱体の壁部の一部を折り曲げることにより形成された引出部から、配管材を引き出すことができる。
【００６７】
また、請求項１２に記載された配管材の梱包装置によれば、請求項１１の効果に加えて、維持手段によって、壁部の一部の折り曲げ状態が維持されるので、その壁部の一部に邪魔されることなく、配管材を引き出すことができる。
【００６８】
また、請求項１３に記載された配管材の梱包装置によれば、請求項１ないし１２のいずれか１項の効果に加えて、一般に巻き癖が強いと言われる、架橋ポリエチレン製あるいはポリブデン製の通水管であっても、巻回部が解かれるように回動することから、通水管が捩れることなく、その通水管の巻き癖を取りながら引き出すことができる。
【００６９】
また、請求項１４ないし１６のいずれか１項に記載された配管材の梱包装置によれば、請求項１ないし１３のいずれか１項の効果に加えて、介在体によって、ターンテーブル側と段ボール箱体側との擦る面積が小さくなり、ターンテーブル、つまりは巻回部を、円滑に回動させることができる。
【００７０】
また、請求項１７に記載された配管材の梱包装置によれば、請求項１ないし１３のいずれか１項の効果に加えて、ターンテーブルと段ボール箱体との擦る部分に設けられた、滑材のコーティング層によって、ターンテーブル、つまりは巻回部を、円滑に回動させることができる。
【００７１】
また、請求項１８に記載された配管材の梱包装置によれば、請求項１４の効果に加えて、介在体と、ターンテーブルまたは段ボール箱体との擦る部分に設けられた、滑材のコーティング層によって、ターンテーブル、つまりは巻回部を、円滑に回動させることができる。
【００７２】
また、請求項１９に記載された配管材の梱包装置によれば、請求項１５の効果に加えて、二つの互いに重なる介在体の互いに擦る部分に設けられた、滑材のコーティング層によって、ターンテーブル、つまりは巻回部を、円滑に回動させることができる。
【図面の簡単な説明】
【図１】この発明に係る配管材の梱包装置の第一の実施の形態の、縦断面図である。
【図２】同じく、図１におけるＡ−Ａ線による断面図である。
【図３】同じく、展開図である。
【図４】この発明に係る配管材の梱包装置の第二の実施の形態の、縦断面図である。
【図５】同じく、図４におけるＢ−Ｂ線による断面図である。
【図６】同じく、ターンテーブルおよび通水管の斜視図である。
【図７】同じく、ターンテーブルの分解斜視図である。
【図８】この発明に係る配管材の梱包装置の第三の実施の形態の、平断面図である。
【図９】同じく、図８におけるＣ−Ｃ線による拡大断面図である。
【図１０】この発明に係る配管材の梱包装置の第四の実施の形態の、縦断面図である。
【符号の説明】
１　通水管（配管材）　　　　　　　１ａ　巻回部
１ｂ　一方の側面　　　　　　　　　１ｃ　外周
１ｄ　内周　　　　　　　　　　　　１ｅ　他方の側面
２　梱包装置　　　　　　　　　　　３　段ボール箱体
３ａ　引出部　　　　　　　　　　　３ｂ　側壁
３ｃ　壁部　　　　　　　　　　　　３ｅ　上壁
４　ターンテーブル　　　　　　　　４ａ　嵌合孔（嵌合部）
４ｂ　ガイド部　　　　　　　　　　４ｃ　離脱防止部
４ｄ　載置面　　　　　　　　　　　４ｅ　外周面
５　案内手段　　　　　　　　　　　６　維持手段
７　介在体
Ｅ　枠体（ガイド部）　　　　　　　Ｆ　鍔部（離脱防止部）
Ｇ　軸体（案内手段）　　　　　　　Ｈ　ローラ（案内手段）
【図１】
2004035006.tif 000003
【図２】
2004035006.tif 000004
【図３】
2004035006.tif 000005
【図４】
2004035006.tif 000006
【図５】
2004035006.tif 000007
【図６】
2004035006.tif 000008
【図７】
2004035006.tif 000009
【図８】
2004035006.tif 000010
【図９】
2004035006.tif 000011
【図１０】
2004035006.tif 000012